(57)【要約】    【課題】  長期間安定して使用でき、かつろ過材の交換が容易に行えるエアフィルタを提供することである。    【解決手段】  矩形枠状の本体１内周に波形板状のろ過材２を着脱可能に嵌め込み、このろ過材２を、本体１の空気出口側の内周に固定された金網製の後面保持部材３と、本体１の空気入口側の内周に着脱可能に嵌め込まれる前枠５に取り付けた金網製の前面保持部材４とで保持することにより、ろ過材２の外れを防止して、長期間安定して使用できるようにするとともに、ろ過材２を交換するときには、ろ過材２と各保持部材３、４とを分離したり固定したりする必要がなく、交換作業が容易に行えるようにしたのである。【選択図】  図１
2005052740.tif 000002
【特許請求の範囲】
【請求項１】
空気の通路を囲むように設置される枠部材の内周に、波形板状のろ過材を着脱可能に嵌め込んだエアフィルタにおいて、前記枠部材の空気出口側の内周に、前記ろ過材の後面形状に沿う波形板状に形成され、空気を通す孔を多数有する後面保持部材を固定して取り付けたことを特徴とするエアフィルタ。
【請求項２】
前記枠部材の空気入口側の内周に、前記ろ過材の前面形状に沿う波形板状に形成され、空気を通す孔を多数有する前面保持部材を着脱可能に嵌め込んだことを特徴とする請求項１に記載のエアフィルタ。
【発明の詳細な説明】
【技術分野】
【０００１】
この発明は、枠部材の内周に波形板状のろ過材を嵌め込んだエアフィルタに関する。
【背景技術】
【０００２】
空調設備や集塵機等に広く使用されているエアフィルタは、一般に、空気の通路を囲むように設置される枠部材の内周にろ過材を取り付けたものがよく使用されている。このようなエアフィルタでは、ろ過材の交換や再生処理を行う際の取外しおよび取付けを容易にするために、ろ過材を枠部材に着脱可能に嵌め込んでいることが多い。
【０００３】
一方、上述したエアフィルタには、集塵能力を長期間維持できるように、ろ過材を波形板状に形成したものがある。しかし、この長寿命型のエアフィルタでは、ろ過材の使用期間が長くなるので、使用中の風圧や振動等によってろ過材が枠部材から外れ、外気がろ過されずに出口側へ漏れることがある。
【０００４】
これに対して、ろ過材をその形状に沿う波形板状に形成した保持部材（補強材）で保持する構造とすれば、枠部材からのろ過材の外れを防止し、外気の漏れをなくすことができる（例えば、特許文献１参照。）。
【特許文献１】特開２００２−６６２４２号公報
【発明の開示】
【発明が解決しようとする課題】
【０００５】
しかしながら、前記特許文献１に記載のエアフィルタでは、ろ過材と保持部材とを長手方向両端で鋲着や圧着等により固定し、その外周端部を枠部材の内面に設けた凹溝に嵌め込んでいるため、使用後のろ過材を新品や再生品に交換するときには、枠部材から一体に取り外したろ過材と保持部材とを分離し、新品または再生したろ過材を再び保持部材に固定した後、枠部材に嵌め込む必要があり、非常に手間がかかる。
【０００６】
そこで、この発明の課題は、長期間安定して使用でき、かつろ過材の交換が容易に行えるエアフィルタを提供することである。
【課題を解決するための手段】
【０００７】
上記の課題を解決するため、この発明は、空気の通路を囲むように設置される枠部材の内周に、波形板状のろ過材を着脱可能に嵌め込んだエアフィルタにおいて、前記枠部材の空気出口側の内周に、前記ろ過材の後面形状に沿う波形板状に形成され、空気を通す孔を多数有する後面保持部材を固定して取り付けた構成を採用したのである。
【０００８】
すなわち、波形板状のろ過材を後面側から保持する後面保持部材を枠部材に固定することにより、ろ過材が使用中に枠部材から外れないようにするとともに、ろ過材を交換するときには、ろ過材だけを簡単に取り外したり取り付けたりできるようにして、使用後のろ過材と後面保持部材との分離、および新品または再生品のろ過材と後面保持部材との固定を不要としたのである。
【０００９】
また、前記枠部材の空気入口側の内周に、前記ろ過材の前面形状に沿う波形板状に形成され、空気を通す孔を多数有する前面保持部材を着脱可能に嵌め込むことにより、ろ過材交換時の手間をほとんど増やすことなく、ろ過材を前面側からも保持するようにして、ろ過材の外れ防止をより確実に行うことができる。
【発明の効果】
【００１０】
以上のように、この発明のエアフィルタは、波形板状のろ過材を後面側から保持する後面保持部材を枠部材に固定したものであるから、ろ過材が使用中に枠部材から外れて外気が漏れるおそれが少なく、長期間安定して使用することができる。従って、ろ過材として、材質的に剛性の低いものや水洗い等の再生処理により剛性が低下したものも、安心して使用できる。しかも、ろ過材を交換をするときには、ろ過材と後面保持部材との分離や固定が不要で、極めて簡単に作業することができる。
【００１１】
また、ろ過材を前面側から保持する前面保持部材を枠部材に着脱可能に嵌め込むことにより、ろ過材交換時の手間をほとんど増やすことなく、ろ過材の外れ防止をより確実に行うことができるとともに、前面保持部材が粗フィルタとしての役割を果たし、ろ過材の使用期間の延長も図れる。
【発明を実施するための最良の形態】
【００１２】
以下、図１乃至図４に基づき、この発明の実施形態を説明する。このエアフィルタは、図１に示すように、空気の通路を囲むように設置される枠部材としての矩形枠状の本体１と、本体１の内周に嵌め込まれる波形板状のろ過材２と、本体１の空気出口側の内周に固定され、ろ過材２を後面側から保持する後面保持部材３と、本体１の空気入口側の内周に嵌め込まれ、ろ過材２を前面側から保持する前面保持部材４を取り付けた矩形の前枠５とで構成されている。
【００１３】
前記本体１および前枠５はステンレス鋼板を折曲加工したものであり、ろ過材２は不織布または繊維状活性炭で形成されている。なお、本体１や前枠５の素材としては、亜鉛メッキ鋼板やアルミニウム板等も使用することができる。
【００１４】
前記各保持部材３、４は、それぞれステンレス鋼製の金網をろ過材２の後面形状または前面形状に沿う波形板状に形成したものである。なお、各保持部材３、４の素材は、波形板状に形成可能で、空気を通す孔を多数有するものであればよく、金網以外にも、例えばステンレス鋼板に多数のパンチ孔をあけた多孔板等を使用することができる。
【００１５】
図２に示すように、前記ろ過材２は、その両側縁部を本体１側部の内面に溶接された階段状の係止部６と本体１側部との間の隙間に挿入されて、本体１内周に着脱可能に嵌め込まれている。
【００１６】
一方、前記後面保持部材３は、その両側縁部を本体１側部の係止部６に溶接により固定されており、ろ過材２に向かって谷となる位置を、本体１内周に立設した複数のステンレス鋼製の補強棒７により補強されている。同様に、前面保持部材４も、その両側縁部を前枠５側部に溶接固定されて、ろ過材２に向かって谷となる位置を、前枠５内周に立設したステンレス鋼製補強棒７により補強されている。なお、各保持部材３、４を補強する補強棒７の本数やその位置は、エアフィルタの幅等に基づいて適宜設定することができる。また、各補強棒７は、必ずしも中実でなくてもよく、パイプ状のもの等も使用できる。
【００１７】
そして、前記前枠５を前面保持部材４と一体に本体１内周に嵌め込んで固定することにより、ろ過材２が両保持部材３、４で挟まれて保持される。
【００１８】
前記前枠５の本体１への固定は、図３にも示すように、前枠５の上下縁部にリベット８で固定した取付金具９を、本体１内周の上下面に設けたフック状の止め金具１０と本体１との間の隙間に差し込み、本体１の外周側から止めねじ１１をねじ込んでいる。なお、これらの金具９、１０による固定は、図１からわかるように４箇所で行われているが、エアフィルタの幅等に基づいて固定箇所の数を適宜増減させてもよい。
【００１９】
また、取付金具９は、その中央部のスリット９ａに止めねじ１１を通されており、前枠５の固定位置を前後方向に調節できるようになっている。従って、図１乃至図３に示した例に比べてろ過材２の厚みが薄い場合は、前枠５を本体１奥側へ押し込んだ位置で固定し（図４参照）、ろ過材２が図１乃至図３の例よりも厚い場合は、前枠５を本体１入口からはみ出させた位置で固定して（図示省略）、ろ過材２をその厚みによらず両保持部材３、４で確実に挟んで保持することができる。
【００２０】
このエアフィルタは、上記の構成であり、ろ過材２が両面から保持されているので、使用中にろ過材２が外れるおそれがなく、長期間安定して使用することができる。また、前面保持部材４は、外気中の虫等をろ過材２の手前で除去する粗フィルタとしての役割も果たしており、ろ過材２の使用期間の延長を図ることもできる。
【００２１】
しかも、ろ過材２の交換を行うときは、止めねじ１１を緩めて前枠５を本体１から引き出し、使用後のろ過材２を取り外して新品または再生品のろ過材２を本体１にセットした後、前枠５を本体１に嵌め込んで止めねじ１１で固定するだけでよい。従って、前述した従来のエアフィルタのようにろ過材と保持部材とを分離したり固定したりする必要がなく、交換作業に手間がかからない。また、エアフィルタ全体を廃棄するときにも、ろ過材２とその他の金属部品とを簡単に分けることができるので、金属部品を再利用しやすい。
【００２２】
上述した実施形態では、前面保持部材を取り付けた前枠を本体に嵌め込んで止めねじで固定したが、少なくとも前面保持部材が本体に着脱可能に嵌め込まれていればよいので、前枠が本体に強固に固定されていなくてもよいし、前枠を設けず、前面保持部材を直接本体に嵌め込むようにしてもよい。
【００２３】
さらに、使用環境等によっては、前面保持部材を設けないようにしてもよい。その場合は、前枠および前枠を固定するための本体側の金具も不要となり、製造コストが安くなるとともに、ろ過材を極めて簡単に交換できるようになる。
【図面の簡単な説明】
【００２４】
【図１】実施形態のエアフィルタの分解斜視図
【図２】図１のエアフィルタの横断平面図
【図３】図２のIII −III 線に沿った断面図
【図４】図１のエアフィルタの前枠固定位置を変えた使用状態を示す横断平面図
【符号の説明】
【００２５】
１  本体
２  ろ過材
３  後面保持部材
４  前面保持部材
５  前枠
６  係止部
７  補強棒
８  リベット
９  取付金具
９ａ  スリット
１０  止め金具
１１  止めねじ
【図１】
2005052740.tif 000003
【図２】
2005052740.tif 000004
【図３】
2005052740.tif 000005
【図４】
2005052740.tif 000006